(57)【要約】【課題】本発明は、予め定めた観測点からの観察輝度の均一性が高いマルチ画面表示装置の提供を目的とする。【解決手段】本発明に係るマルチ画面表示装置を構成する各映像表示装置１００〜１１５は、光源回路５と、光源回路５の出力光を映像信号に基づき輝度変調して表示画面８へ照射するライトバルブ７とを備えた投射型映像表示装置である。マルチ画面表示装置は、各表示画面８における垂直方向の視野角特性を記憶するメモリ９と、観測点に対する各表示画面８の最大仰角Ｗｎ１および最小仰角Ｗｎ０を端部仰角として設定する端部仰角設定部と、各表示画面８における、水平方向の各ラインの観測点に対する仰角ＷＬを当該表示画面８の端部仰角に基づき算出する仰角算出部と、仰角算出部の算出結果および上記視野角特性に基づき、映像信号をラインごとに補正するグラデーション処理部３とを備える。【選択図】図２
2015079119.tif 000002
【特許請求の範囲】
【請求項１】
複数の映像表示装置の表示画面を配列して一つのマルチ画面を構成するマルチ画面表示装置であって、
各前記映像表示装置は、光源と、前記光源の出力光を映像信号に基づき輝度変調して前記表示画面へ照射するライトバルブとを備えた投射型映像表示装置であり、
各前記映像表示装置の表示画面における垂直方向の視野角特性を記憶する記憶部と、
観測点に対する、各前記映像表示装置の表示画面の最大仰角および最小仰角を端部仰角として設定する端部仰角設定部と、
各前記映像表示装置の表示画面における、水平方向の各ラインの前記観測点に対する仰角を当該表示画面の前記端部仰角に基づき算出する仰角算出部と、
前記仰角算出部の算出結果および前記視野角特性に基づき、前記映像信号を前記ラインごとに補正する映像信号補正部と、を備える、
マルチ画面表示装置。
【請求項２】
前記端部仰角設定部は、前記観測点に対する前記マルチ画面の最大または最小仰角と、前記観測点の正面に存在する前記映像表示装置の表示画面と最上段または最下段に存在する前記映像表示装置の表示画面との段差とに基づき前記端部仰角を算出し、設定する、
請求項１に記載のマルチ画面表示装置。
【請求項３】
各前記映像表示装置の前記光源の出力輝度を制御する光源制御手段をさらに備え、
前記光源制御手段は、前記視野角特性に基づき、各前記映像表示装置の表示画面の予め定めた第１領域の観察輝度が、前記マルチ画面の予め定めた第２領域の観察輝度と等しくなるように前記光源の出力輝度を制御し、
前記映像信号補正部は、前記映像表示装置の表示画面の前記第１領域以外の各ラインの観察輝度が前記第１領域の観察輝度と等しくなるように前記映像信号を補正する、
請求項１又は２に記載のマルチ画面表示装置。
【請求項４】
複数の映像表示装置の表示画面を配列して一つのマルチ画面を構成するマルチ画面表示装置であって、
各前記映像表示装置は、光源と、前記光源の出力光を映像信号に基づき輝度変調して前記表示画面へ照射するライトバルブとを備えた投射型映像表示装置であり、
各前記映像表示装置の表示画面における水平方向の視野角特性を記憶する記憶部と、
観測点に対する、各前記映像表示装置の表示画面の最大方位角および最小方位角を端部方位角として設定する端部方位角設定部と、
各前記映像表示装置の表示画面における、垂直方向の各ラインの前記観測点に対する方位角を当該表示画面の前記端部方位角に基づき算出する方位角算出部と、
前記方位角算出部の算出結果および前記視野角特性に基づき、前記映像信号を各前記ラインごとに補正する映像信号補正部と、を備える、
マルチ画面表示装置。
【発明の詳細な説明】
【技術分野】
【０００１】
この発明は、複数の投写型映像表示装置の表示画面を配列して一つのマルチ画面を構成するマルチ画面表示装置に関する。
【背景技術】
【０００２】
従来、複数の映像表示装置を組み合わせてマルチ画面表示装置として使用する表示装置において、映像表示装置間の輝度を均一化するマルチ画面表示装置が提案されている。例えば特許文献１が開示するマルチ画面表示装置は、各映像表示装置が輝度センサーで現在の自分の映像表示装置の輝度を検出し、基準映像表示装置はその他の映像表示装置から輝度情報を受信して輝度補正データを作成、送信し、各映像表示装置は輝度補正データに基づいて補正を行うことにより、映像表示装置間の輝度を均一化する。
【０００３】
また、液晶映像表示装置を組み合わせてマルチ画面表示装置を構成する場合、マルチ画面を構成する各液晶映像表示装置の表示画面の視野角特性を考慮してバックライトの光量を調整し、予め決められた観測点での見かけ上の輝度特性を均一にする装置も提案されている（特許文献２参照）。
【先行技術文献】
【特許文献】
【０００４】
【特許文献１】特開平１０−９０６４５号公報
【特許文献２】特開２００９−１６９１９６号公報
【発明の概要】
【発明が解決しようとする課題】
【０００５】
従来のマルチ画面表示装置では、各映像表示装置に対して目標となる輝度信号レベルを設定し、デジタル信号処理により全ての映像表示装置の出力輝度レベルが均一になるように制御がなされているが、表示画面の視野角特性は考慮されていない。またバックライト等の光源の輝度レベル調整機能を使って表示画面の視野角特性を補正した場合、視野角特性の補正は各映像表示装置単位で行われるため、マルチ画面表示装置全体として連続的に視野角特性を補正することができず、見かけ上の輝度（観察輝度）にムラが生じていた。
【０００６】
本発明は、これらの問題を解決するためになされたものであり、予め定めた観測点からの観察輝度の均一性が高いマルチ画面表示装置の提供を目的とする。
【課題を解決するための手段】
【０００７】
実施の形態１に係るマルチ画面表示装置は、複数の映像表示装置の表示画面を配列して一つのマルチ画面を構成するマルチ画面表示装置であって、映像表示装置は、光源と、光源の出力光を映像信号に基づき輝度変調して表示画面へ照射するライトバルブとを備えた投射型映像表示装置であり、映像表示装置の表示画面における垂直方向の視野角特性を記憶する記憶部と、観測点に対する、映像表示装置の表示画面の最大仰角および最小仰角を端部仰角として設定する端部仰角設定部と、映像表示装置の表示画面における、水平方向の各ラインの観測点に対する仰角を当該表示画面の端部仰角に基づき算出する仰角算出部と、仰角算出部の算出結果および視野角特性に基づき、映像信号をラインごとに補正する映像信号補正部と、を備える。
【発明の効果】
【０００８】
実施の形態１に係るマルチ画面表示装置は、複数の映像表示装置の表示画面を配列して一つのマルチ画面を構成するマルチ画面表示装置であって、映像表示装置は、光源と、光源の出力光を映像信号に基づき輝度変調して表示画面へ照射するライトバルブとを備えた投射型映像表示装置であり、映像表示装置の表示画面における垂直方向の視野角特性を記憶する記憶部と、観測点に対する、映像表示装置の表示画面の最大仰角および最小仰角を端部仰角として設定する端部仰角設定部と、映像表示装置の表示画面における、水平方向の各ラインの観測点に対する仰角を当該表示画面の端部仰角に基づき算出する仰角算出部と、仰角算出部の算出結果および視野角特性に基づき、映像信号をラインごとに補正する映像信号補正部と、を備える。これにより、映像表示装置ごとの輝度ムラだけでなく、各映像表示装置の表示画面内での輝度ムラも抑制できるため、観察輝度の均一性が高いマルチ画面表示装置となる。
【図面の簡単な説明】
【０００９】
【図１】実施の形態１に係るマルチ画面表示装置のマルチ画面を示す図である。
【図２】映像表示装置の構成を示すブロック図である。
【図３】映像表示装置の光源回路の構成を示す図である。
【図４】映像表示装置の表示画面の視野角特性を示す図である。
【図５】実施の形態１に係るマルチ画面表示装置のマルチ画面を示す図である。
【図６】映像表示装置の表示画面の視野角特性を示す図である。
【図７】ＬＥＤの供給電流−出力輝度特性を示す図である。
【図８】ＬＥＤの供給電流−出力輝度特性を示す図である。
【図９】ＬＥＤの供給電流−出力輝度特性を示す図である。
【発明を実施するための形態】
【００１０】
＜Ａ．実施の形態１＞
＜Ａ−１．構成＞
図１は、設置場所Ｐに設置された本発明の実施形態１に係るマルチ画面表示装置の構成を示す図である。実施の形態１に係るマルチ画面表示装置は、複数の映像表示装置１００〜１１５を備え、映像表示装置１００〜１１５の表示画面によって一つのマルチ画面が構成される。なお、図１では１６台の映像表示装置１００〜１１５（の表示画面）を４行４列に並べてマルチ画面を構成しているが、映像表示装置の台数や配列の仕方はこれに制限されない。
【００１１】
図２は、映像表示装置１００〜１１５の構成を示すブロック図である。映像表示装置１００〜１１５は投写型映像表示装置であり、各々が画像入力部１、画像処理部２、グラデーション処理部３、制御部４、光源回路５、ライトバルブ６、投写レンズ７、表示画面８、メモリ９、および送受信部１０を備えている。
【００１２】
画像入力部１には、外部から映像信号が入力される。入力された映像信号は、画像処理部２において、拡大・縮小やフレームレートの変換等の信号処理が施され、所定の解像度に変換される。制御部４は、表示画面８の視野角特性やマルチ画面の位置座標に基づき、最適な輝度表示を行うための映像信号の補正係数（詳しくは後述）を水平走査線（ライン）ごとに算出する。グラデーション処理部３は、制御部４が算出する補正係数を用いて、画像処理部２から受けた映像信号の出力レベルを上記ラインごとに変換した後、ライトバルブ６を駆動するためのドライブ信号に変換し、当該ドライブ信号をライトバルブ６に入力する。
【００１３】
図３は、光源回路５の構成を示す図である。光源回路５は、光源として赤色ＬＥＤ２１、緑色ＬＥＤ２３、および青色ＬＥＤ２５を備えており、さらに各ＬＥＤの駆動回路として赤色ＬＥＤ駆動回路２０、緑色ＬＥＤ駆動回路２２、および青色ＬＥＤ駆動回路２４を備えている。赤色ＬＥＤ２１は、その駆動電流値が赤色ＬＥＤ駆動回路２０のパルス駆動で制御され、点灯動作する。緑色ＬＥＤ２３、青色ＬＥＤ２５も同様の動作を行う。
【００１４】
各ＬＥＤの駆動電流値―輝度値特性は、予め生産工程にて測定される等して、メモリ９に記憶されている。制御部４は、メモリ９の駆動電流値―輝度値特性を参照しつつ、各ＬＥＤ駆動回路の駆動電流値を制御することにより、赤色ＬＥＤ２１、緑色ＬＥＤ２３、および青色ＬＥＤ２５の輝度調整を行う。
【００１５】
光源回路５の出力光はライトバルブ６に入力され、グラデーション処理部３からライトバルブ６に入力されたドライブ信号に従って強度変調される。ライトバルブ６で強度変調された光が投写レンズ７を通って表示画面８に投写されることにより、映像が表示画面に表示される。
【００１６】
＜Ａ−２．動作＞
通常、映像表示装置１００〜１１５の表示画面の出力輝度にはバラつきがあるため、マルチ画面全体の輝度を均一にする処理を行う必要がある。この場合、例えば制御部４にて赤色ＬＥＤ駆動回路２０、緑色ＬＥＤ駆動回路２２、青色ＬＥＤ駆動回路２４の駆動電流値を制御することにより、マルチ画面表示装置を構成する映像表示装置の出力輝度が均一になるように調整する。
【００１７】
しかしながら、一般に投射型映像表示装置の表示画面８には、仰角に対して図４に示す視野角特性がある。マルチ画面表示装置のマルチ画面から観測点までの距離を十分に取ることができない場合は、マルチ画面に対する観測点を基準とした仰角は大きくなる。観測点からマルチ画面に対する仰角が大きくなるほど、観測点で観測できるマルチ画面の輝度は小さくなる。そのため、マルチ画面表示装置を構成する各映像表示装置１００〜１１５の出力輝度が均一に調整されていても、図１の観測点Ａでは、４段目の映像表示装置１１２〜１１５の表示画面が一番暗く見え、同じ映像表示装置の表示画面内でも上部ほど暗く観測されることになる。
【００１８】
そこで、実施の形態１に係るマルチ画面表示装置では、図４に示した表示画面８の垂直方向の視野角特性を考慮することにより、観測点からみたマルチ画面全体の輝度が均一になるように調整する。すなわち、図１に示すように観測点１が１段目にある場合は、マルチ画面の４段目を構成する表示画面の輝度を高くし、３段目、２段目と滑らかに輝度が変化するようにグラデーション回路３にて映像信号の信号処理（グラデーション補正）を行う。
【００１９】
グラデーション処理部３では、画像処理部２が出力する映像信号に対して、ライン毎に補正係数を乗算することにより垂直方向のグラデーション補正を行う。以下に、映像表示装置１００〜１１５における垂直方向のグラデーション補正の動作説明を行う。
【００２０】
制御部４は、観測点１からみた各映像表示装置１００〜１１５の表示画面に対する最大仰角Ｗｎ１と最小仰角Ｗｎ０を端部仰角として設定する端部仰角設定部として機能する。また、観測点１からみたマルチ画面に対する最大仰角Ｗｍａｘも設定する。これらの仰角についての情報は、設置場所Ｐにマルチ画面表示装置を設置した後に予め測定し算出しておき、例えば送受信部１０を介して外部から入力される。ここで、ｎは垂直方向に対する下段からみた段数であり、図１の映像表示装置１００〜１０３の表示画面において、最大仰角はＷ１１、最小仰角はＷ１０と示される。
【００２１】
さらに、制御部４は、上記端部仰角を用いて、表示画面８のラインごとに観測点から見た仰角を算出する仰角算出部としても機能する。具体的には、映像表示装置１００〜１１５の垂直方向の解像度をＶＬラインとすると、表示画面８上の垂直方向の座標Ｌ（Ｌ＝１〜ＶＬ）の地点を観測点からみたときの仰角ＷＬは下式で表される。
【００２２】
【数１】
2015079119.tif 000003
【００２３】
メモリ９には、図４に示す仰角Ｗに対する表示画面８の輝度比Ｑ（Ｗ）が記憶されており、制御部４は上式により垂直方向の座標Ｌにおける輝度比Ｑ（ＷＬ）を算出してグラデーション処理部３に出力する。なお、輝度比Ｑ（Ｗ）は、仰角が０度の地点の輝度に対する比で表される。ただし、以下の関係がある。
【００２４】
【数２】
2015079119.tif 000004
【００２５】
また、制御部４は、座標Ｌにおける輝度比Ｑ（ＷＬ）から補正係数Ｑ（ＷＭａｘ）／Ｑ（ＷＬ）を求め、グラデーション処理部３に出力する。グラデーション処理部３は、制御部４から受けた補正係数に基づき映像信号をラインごとに補正する映像信号補正部として機能する。具体的には、画像処理部２から出力される映像信号（映像データＤ（Ｍ，Ｌ））に補正係数を乗算する。なお、Ｍは表示画面８における水平方向の座標である。補正後の映像データＤｏ（Ｍ，Ｌ）は、以下の式で表される。
【００２６】
【数３】
2015079119.tif 000005
【００２７】
図１の観測点１において、映像表示装置１００〜１０５の出力解像度を１９２０×１０８０画素とし、マルチ画面の最大仰角Ｗｍａｘを３５度としたときの、各映像表示装置１００〜１１５に対するグラデーション処理は以下のようになる。
【００２８】
上から１段目の映像表示装置１１２〜１１５について、最大仰角Ｗ４１を３５度、最小仰角Ｗ４０を２６．６度と設定し、Ｌラインの仰角ＷＬは次のように計算される。
【００２９】
【数４】
2015079119.tif 000006
【００３０】
また、補正後の映像データＤｏ（Ｍ，Ｌ）は次のように計算される。
【００３１】
【数５】
2015079119.tif 000007
【００３２】
上から２段目の映像表示装置１０８〜１１１について、最大仰角Ｗ３１を２６．６度、最小仰角Ｗ３０を１６．７度と設定し、Ｌラインの仰角ＷＬは次のように計算される。
【００３３】
【数６】
2015079119.tif 000008
【００３４】
また、補正後の映像データＤｏ（Ｍ，Ｌ）は次のように計算される。
【００３５】
【数７】
2015079119.tif 000009
【００３６】
上から３段目の映像表示装置１０４〜１０７について、最大仰角Ｗ２１を１６．７度、最小仰角Ｗ２０を５．７度と設定し、Ｌラインの仰角ＷＬは次のように計算される。
【００３７】
【数８】
2015079119.tif 000010
【００３８】
また、補正後の映像データＤｏ（Ｍ，Ｌ）は次のように計算される。
【００３９】
【数９】
2015079119.tif 000011
【００４０】
上から４段目の映像表示装置１００〜１０３について、最大仰角Ｗ１１を５．７度、最小仰角Ｗ１０を−５．７度と設定し、Ｌラインの仰角ＷＬは次のように計算される。
【００４１】
【数１０】
2015079119.tif 000012
【００４２】
また、補正後の映像データＤｏ（Ｍ，Ｌ）は次のように計算される。
【００４３】
【数１１】
2015079119.tif 000013
【００４４】
ここで、最上段の映像表示装置１１２〜１１５の１０８０ライン目の補正係数と、上から２段目の１ライン目の補正係数は、共にＱ（３５）／Ｑ（２６．６）となる。このように、１段目から４段目まで、映像表示装置の補正係数が連続して算出される。
【００４５】
以上のように、表示画面８の視野角特性をメモリ９に保存し、各映像表示装置１００〜１１５の観測点に対する仰角から垂直方向に対する映像データの最適な補正係数を算出し、マルチ画面表示装置全体の輝度をラインごとに調整する。これにより、映像表示装置１００〜１１５ごとに輝度を均一に調整する場合よりも、観測点からみたマルチ画面全体の垂直方向の輝度が均一になる。
【００４６】
また、図１に示す観測点Ａ，Ｂのように、複数の観測点を切り替えて実施の形態１のマルチ画面表示装置を用いる場合であっても、予め、観測点Ａ，Ｂに対する各映像表示装置１００〜１１５の最大仰角および最小仰角、並びにマルチ画面の最大仰角を算出してメモリ９に記憶しておくことにより、観測点を切り替えても、新たな観測点についての仰角の情報をメモリ９から参照して、輝度補正を行うことができる。
【００４７】
なお、上記実施例では一般に視野角特性が問題となりやすい垂直方向に対するスクリーンの視野角特性を補正するように構成しているが、同様に水平方向の視野角補正を行うように構成してもよい。この場合、メモリ９には、映像表示装置１００〜１１５の表示画面８の水平方向の視野角特性が記憶される。また、制御部４は、表示画面８の観測点に対する最大方位角および最小方位角から、表示画面の垂直方向の各ラインについて方位角を算出し、当該方位角と表示画面８の水平方向の視野角特性から、垂直方向のラインごとの映像データの補正係数を算出する。
【００４８】
＜Ａ−３．効果＞
実施の形態１に係る第１のマルチ画面表示装置は、複数の映像表示装置１００〜１１５の表示画面８を配列して一つのマルチ画面を構成する。映像表示装置１００〜１１５は、光源回路５と、光源回路５の出力光を映像信号に基づき輝度変調して表示画面８へ照射するライトバルブ６とを備えた投射型映像表示装置である。マルチ画面表示装置は、映像表示装置の表示画面における垂直方向の視野角特性を記憶するメモリ９（記憶部）と、観測点に対する、映像表示装置１００〜１１５の表示画面８の最大仰角および最小仰角を端部仰角として設定する端部仰角設定部（制御部４）と、映像表示装置１００〜１１５の表示画面８における、水平方向の各ラインの観測点に対する仰角を当該表示画面８の端部仰角に基づき算出する仰角算出部（制御部４）と、仰角算出部の算出結果および視野角特性に基づき、映像信号をラインごとに補正するグラデーション処理部３（映像信号補正部）と、を備える。従って、視野角特性に基づき生じる観察輝度のムラを、映像表示装置間だけでなく一つの映像表示装置内でも抑制することができ、マルチ画面全体に亘って垂直方向の輝度ムラを抑制することが可能となる。
【００４９】
あるいは、実施の形態１に係るマルチ画面表示装置において、メモリ９（記憶部）は映像表示装置の表示画面における水平方向の視野角特性を記憶し、制御部４は、観測点に対する、映像表示装置の表示画面の最大方位角および最小方位角を端部方位角として設定する端部方位角設定部と、映像表示装置の表示画面における、垂直方向の各ラインの観測点に対する方位角を当該表示画面の端部方位角に基づき算出する方位角算出部として機能し、グラデーション処理部３（映像信号補正部）は、方位角算出部の算出結果と上記視野角特性に基づき、映像信号をラインごとに補正しても良い。これにより、マルチ画面全体に亘って水平方向の輝度ムラを抑制することが可能となる。
【００５０】
＜Ｂ．実施の形態２＞
＜Ｂ−１．構成＞
実施の形態２に係るマルチ画面表示装置の構成は実施の形態１と同様であるため、説明を省略する。
【００５１】
＜Ｂ−２．動作＞
実施の形態１では、端部仰角設定部として機能する制御部４が、観測点に対する各映像表示装置の表示画面の最大仰角および最小仰角を、送受信部１０を介した外部操作に基づき端部仰角として設定していた。
【００５２】
しかし、実施の形態２で端部仰角設定部として機能する制御部４は、観測点に対するマルチ画面の最大仰角Ｗｍａｘおよび映像表示装置の段差から、制御部４内で各映像表示装置１００〜１１５の表示画面の観測点に対する最大仰角および最小仰角を算出する。
【００５３】
具体的には、観測点の正面にある映像表示装置を基準とし、そこからの垂直方向の段差をｍとするパラメータを設定する。なお、正面にある映像表示装置の上段に対してはｍを正、下段に対してはｍを負の値とする。そして、マルチ画面の観測点に対する仰角の絶対値の最大値｜Ｗ｜ｍａｘ、観測点の正面にある映像表示装置からの段差ｍ、段差ｍの絶対値の最大値｜ｍ｜ｍａｘを用いて、以下の式により最大仰角Ｗｎ１および最小仰角Ｗｎ０を算出する。
【００５４】
【数１２】
2015079119.tif 000014
【００５５】
【数１３】
2015079119.tif 000015
【００５６】
すなわち、段差ｍと仰角Ｗとの間には比例関係があると近似し、１段差あたりの仰角｜Ｗ｜ｍａｘ／｜ｍ｜ｍａｘを段差ｍに乗算して仰角を算出する。但し、ｍ＝０のときはＷｎ１＝Ｗｎ０＝０とする。
【００５７】
例えば、図５の観測点Ｃから観察する場合、上から２段目の映像表示装置１０８〜１１１に対してｍ＝０、最上段の映像表示装置１１２〜１１５に対してｍ＝１、上から３段目の映像表示装置１０４〜１０７に対してｍ＝−１、上から４段目の映像表示装置１００〜１０３に対してｍ＝−２となり、｜ｍ｜ｍａｘ＝２となる。
【００５８】
従って、最上段の映像表示装置１１２〜１１５の最大仰角Ｗ４１はＷＭａｘ／２となり、最小仰角Ｗ４０は０となる。また、上から２段目の映像表示装置１０８〜１１１の最大仰角Ｗ３１および最小仰角Ｗ３０は、共に０となる。また、上から３段目の映像表示装置１０４〜１０７の最大仰角Ｗ２１は０となり、最小仰角Ｗ２０は−ＷＭａｘ／２となる。また、上から４段目の映像表示装置１００〜１０３の最大仰角Ｗ１１は−ＷＭａｘ／２となり、最大仰角Ｗ１０は−ＷＭａｘとなる。
【００５９】
制御部４が各映像表示装置１１２〜１１５の最大仰角および最小仰角を上記の方法が求めた後は、実施の形態１と同様の方法で映像信号（映像データ）の補正を行う。
【００６０】
なお、上記実施例では垂直方向に対するスクリーンの視野角特性を補正するように構成しているが、同様に水平方向の視野角補正を行うように構成してもよい。
【００６１】
また、上記ではマルチ画面の最大仰角と、当該最大仰角となる領域を含む映像表示装置と観測点の正面にある映像表示装置との段差ｍｍａｘを用いて、各映像表示装置の最大仰角または最小仰角を算出したが、マルチ画面の最大仰角に代えて最小仰角を用いても良い。すなわち、マルチ画面の最小仰角（の絶対値）を、最小仰角となる領域を含む最上段または最下段の映像表示装置と観測点の正面にある映像表示装置との段差で割ることにより、１段差あたりの仰角を算出し、これに段差ｍを乗算して、各映像表示装置の最大仰角または最小仰角を算出しても良い。
【００６２】
＜Ｂ−３．効果＞
実施の形態２に係るマルチ画面表示装置において、制御部４（端部仰角設定部）は、観測点に対するマルチ画面の最大仰角または最小仰角と、観測点の正面に存在する映像表示装置の表示画面と最上段または最下段に存在する映像表示装置の表示画面との段差とに基づき端部仰角を算出し、設定する。これにより、実施の形態１の効果に加え、予め各表示画面８の観測点に対する最大仰角および最小仰角を設定しなくとも、簡単な設定操作で各表示画面８の各ラインの観測点に対する仰角を算出することができる。
【００６３】
＜Ｃ．実施の形態３＞
実施の形態１，２では、グラデーション処理部３において補正係数を映像信号に乗算するというデジタル信号処理のみで、マルチ画面全体の輝度調整を行っていた。これに対して実施の形態３では、光源回路５に供給する電流値の制御により、各映像表示装置１００〜１１５の出力輝度を予め調整した後、グラデーション処理部３によるデジタル信号処理を行うことにより、両者の組み合わせでマルチ画面全体の輝度調整を行う。
【００６４】
＜Ｃ−１．構成＞
実施の形態３に係るマルチ画面表示装置の構成は、実施の形態１と同様であるため、説明を省略する。
【００６５】
＜Ｃ−２．動作＞
図１の観測点Ａからマルチ画面表示装置をみたときの、下からｎ段目の映像表示装置の表示画面の最大仰角をＷｎ１、最小仰角をＷｎ０と表す。最上段の映像表示装置１１２〜１１５の表示画面の最大仰角をＷ４１がマルチ画面の最大仰角Ｗｍａｘとなる。
【００６６】
図６は、映像表示装置１００〜１０５の表示画面８の垂直方向の視野角特性を示しており、横軸は観測点Ａに対する仰角を示し、縦軸は仰角が０のときの輝度を基準とした輝度比Ｑを示している。図６から、観測点Ａに対する仰角がＷ１１，Ｗ２１，Ｗ３１，Ｗ４１と大きくなるにつれて輝度比Ｑは下がることが明らかである。
【００６７】
図７〜９は、光源回路５の各色ＬＥＤにおける供給電流−出力輝度特性を示す図であり、図７は赤色ＬＥＤ２１について、図８は緑色ＬＥＤ２３について、図９は青色ＬＥＤ２５について、それぞれ示している。これら供給電流−出力輝度特性に関する情報は、メモリ９に格納されている。
【００６８】
制御部４は、メモリ９の上記特性に関する情報を参照し、各映像表示装置１００〜１１５の表示画面８の最大仰角Ｗｎ１を有する領域（第１領域）の観察輝度が、マルチ画面の最大仰角Ｗｍａｘを有する領域（第２領域）の観察輝度と等しくなるように、各ＬＥＤ２１〜２３に対する供給電流を制御し、出力輝度を制御する。具体的には、赤色ＬＥＤ駆動回路２０、緑色ＬＥＤ駆動回路２２、青色ＬＥＤ駆動回路２４から出力される電流を制御する。実際には、赤色ＬＥＤ２１、緑色ＬＥＤ２３、青色ＬＥＤ２５に対する調整前の供給電流をそれぞれＩｒ０，Ｉｇ０，Ｉｂ０とし、以下の式を満たす調整後の供給電流Ｉｒ１、Ｉｇ１，Ｉｂ１を算出する。
【００６９】
【数１４】
2015079119.tif 000016
【００７０】
そして、制御部４はＩｒ１，Ｉｇ１，Ｉｂ１がそれぞれ赤色ＬＥＤ２１、緑色ＬＥＤ２３、青色ＬＥＤ２５に供給されるよう、赤色ＬＥＤ駆動回路２０、緑色ＬＥＤ駆動回路２２、青色ＬＥＤ駆動回路２４を制御する。
【００７１】
次に、グラデーション処理部３によるデジタル信号処理について説明する。映像表示装置１００〜１１５の垂直方向の解像度をＶＬラインとすると表示画面８上の垂直方向の座標Ｌ（Ｌ＝１〜ＶＬ）の地点を観測点からみたときの仰角ＷＬは下式で表される。
【００７２】
【数１５】
2015079119.tif 000017
【００７３】
メモリ９には、図４に示す仰角Ｗに対する表示画面８の輝度比Ｑ（Ｗ）が記憶されており、制御部４は上式により垂直方向の座標Ｌにおける輝度比Ｑ（ＷＬ）を算出してグラデーション処理部３に出力する。なお、輝度比Ｑ（Ｗ）は、仰角が０度の地点の輝度に対する比で表される。ただし、以下の関係がある。
【００７４】
【数１６】
2015079119.tif 000018
【００７５】
また、制御部４は、座標Ｌにおける輝度比Ｑ（ＷＬ）から補正係数Ｑ（Ｗｎ１）／Ｑ（ＷＬ）を求め、グラデーション処理部３に出力する。グラデーション処理部３は、制御部４から受けた補正係数に基づき映像信号をラインごとに補正する映像信号補正部として機能する。具体的には、画像処理部２から出力される映像信号（映像データＤ（Ｍ，Ｌ））に補正係数を乗算する。こうして、表示画面８の最大仰角Ｗｎ１を有する領域（第１領域）以外の各ラインの観察輝度が、最大仰角Ｗｎ１を有する領域の観察輝度と等しくなるように映像信号が補正される。なお、Ｍは表示画面８における水平方向の座標である。補正後の映像データＤｏ（Ｍ，Ｌ）は、以下の式で表される。
【００７６】
【数１７】
2015079119.tif 000019
【００７７】
図１の観測点１において、映像表示装置１００〜１０５の出力解像度を１９２０ｘ１０８０画素とし、マルチ画面の最大仰角ＷＭａｘを３５度とし、図６においてＱ（Ｗ４１）＝０．６、Ｑ（Ｗ３１）＝０．８５，Ｑ（Ｗ２１）＝０．９、Ｑ（Ｗ１１）＝０．９８とすると、映像表示装置１００〜１１５に対するグラデーション処理は以下のようになる。
【００７８】
最上段の映像表示装置１１２〜１１５について、最大仰角Ｗ４１を３５度、最小仰角Ｗ４０を２６．６度と設定し、Ｌラインの仰角ＷＬは次のように計算される。
【００７９】
【数１８】
2015079119.tif 000020
【００８０】
また、補正後の映像データＤｏ（Ｍ，Ｌ）は次のように計算される。
【００８１】
【数１９】
2015079119.tif 000021
【００８２】
上から２段目の映像表示装置の１０８〜１１１について、最大仰角Ｗ３１を２６．６度、最小仰角Ｗ３０を１６．７度と設定し、Ｌラインの仰角ＷＬは次のように計算される。
【００８３】
【数２０】
2015079119.tif 000022
【００８４】
また、補正後の映像データＤｏ（Ｍ，Ｌ）は次のように計算される。
【００８５】
【数２１】
2015079119.tif 000023
【００８６】
上から３段目の映像表示装置１０４〜１０７について、最大仰角Ｗ２１を１６．７度、最小仰角Ｗ２０を５．７度と設定し、Ｌラインの仰角ＷＬは次のように計算される。
【００８７】
【数２２】
2015079119.tif 000024
【００８８】
また、補正後の映像データＤｏ（Ｍ，Ｌ）は次のように計算される。
【００８９】
【数２３】
2015079119.tif 000025
【００９０】
上から４段目の映像表示装置１００〜１０３について、最大仰角Ｗ１１を５．７度、最小仰角Ｗ１０を−５．７度と設定し、Ｌラインの仰角ＷＬは次のように計算される。
【００９１】
【数２４】
2015079119.tif 000026
【００９２】
また、補正後の映像データＤｏ（Ｍ，Ｌ）は次のように計算される。
【００９３】
【数２５】
2015079119.tif 000027
【００９４】
以上のように、映像表示装置１００〜１１５間の垂直方向の視野角に対する見かけ上の輝度低下を、予めＬＥＤへの供給電流を調整することにより補正した後、グラデーション処理部３にて映像表示装置内のデジタル信号処理による補正を行うため、マルチ画面全体の垂直方向の輝度が観測点から均一になるように見える。また、最大仰角となる映像表示装置以外の映像表示装置については、ＬＥＤへの供給電流を小さくすることができマルチ画面表示装置の消費電力を低減させることもできる。
【００９５】
なお、上記の説明では、各映像表示装置１００〜１１５の表示画面８の最大仰角Ｗｎ１を有する領域を第１領域とし、マルチ画面の最大仰角Ｗｍａｘを有する領域を第２領域としたが、これに特定されない。第１領域は各映像表示装置１００〜１１５の表示画面８の中のいずれの領域でもよく、第２領域は、マルチ画面の中のいずれの領域であっても良い。
【００９６】
＜Ｃ−３．効果＞
実施の形態３に係るマルチ画面表示装置において、制御部４は各映像表示装置の光源（ＬＥＤ２１，２３，２５）の出力輝度を制御する光源制御部として機能し、制御部４は、視野角特性に基づき、各映像表示装置１００〜１１５の表示画面８の予め定めた第１領域の観察輝度が、マルチ画面の予め定めた第２領域の観察輝度と等しくなるように光源の出力輝度を制御する。また、グラデーション処理部３（映像信号補正部）は、映像表示装置１００〜１１５の表示画面８の第１領域以外の各ラインの観察輝度が第１領域の観察輝度と等しくなるように映像信号を補正する。したがって、観測点からの観察輝度のばらつきをマルチ画面全体の垂直方向で抑制することができる。また、最大仰角となる映像表示装置以外の映像表示装置については、ＬＥＤへの供給電流を小さくすることができマルチ画面表示装置の消費電力を低減させることもできる。
【００９７】
なお、本発明は、その発明の範囲内において、各実施の形態を自由に組み合わせたり、各実施の形態を適宜、変形、省略したりすることが可能である。
【符号の説明】
【００９８】
１００〜１１５  映像表示装置、１  画像入力部、２  画像処理部、３  グラデーション処理部、４  制御部、５  光源回路、６  ライトバルブ、７  投写レンズ、８  スクリーン、９  メモリ、１０  送受信部、２０  赤色ＬＥＤ駆動回路、２１  赤色ＬＥＤ、２２  緑色ＬＥＤ駆動回路、２３  緑色ＬＥＤ、２４  青色ＬＥＤ駆動回路、２５  青色ＬＥＤ。
【図１】
2015079119.tif 000028
【図２】
2015079119.tif 000029
【図３】
2015079119.tif 000030
【図４】
2015079119.tif 000031
【図５】
2015079119.tif 000032
【図６】
2015079119.tif 000033
【図７】
2015079119.tif 000034
【図８】
2015079119.tif 000035
【図９】
2015079119.tif 000036